(57)【特許請求の範囲】
【請求項１】
一方から他方への浸水を防止する止水装置であって、
縦止水面材と横止水面材が互いに回動可能に連結されており、縦止水面材の下端前面側から底面前面側に亘って一方の回動連結部が縦止水面材と一体に形成されており、横止水面材の後端上面側には他方の回動連結部が横止水面材と一体に形成され、
一方又は／及び他方の回動連結部に回動中心部が一体に形成されており、
一方の回動連結部と他方の回動連結部が、縦止水面材と横止水面材の幅方向全体に亘って形成されていることを特徴とする止水装置。
【請求項２】
止水装置が開いた状態で、縦止水面材と横止水面材の夾角が９０°以上、１２０°以下であることを特徴とする、請求項１に記載の止水装置。
【請求項３】
回動連結部に回動ストッパーが設けられていることを特徴とする、請求項１又は請求項２に記載の止水装置。
【請求項４】
縦止水面材が下端に連結部材を備えており、この連結部材に一方の回動連結部が一体に形成されていることを特徴とする、請求項１ないし請求項３のいずれかに記載の止水装置。
【発明の詳細な説明】
【技術分野】
【０００１】
本発明は、一方から他方への浸水を防止する止水装置に関し、更に詳しくは、回動可能な連結構造を備えているにも拘わらず、部品点数が少なく止水性にも不安がない止水装置に関する。
【背景技術】
【０００２】
近年、異常気象により各地で記録的なゲリラ豪雨が多発している。都市部では道路のほぼ全てが舗装されているため、ゲリラ豪雨が発生すると、雨水が地中に殆ど浸透することなく、下水道施設から河川へと一気に流れ込み、河川が氾濫したり下水道施設のマンホールから雨水が路面に噴き出したりして、道路の冠水、建物内部への浸水、地下街への出入口からの流入などの被害を出している。
【０００３】
従来、このような水害に対しては、土嚢を建物の出入口や地下街の出入口などの開口部に積み上げて遮水壁を設け、建物内部や地下街への浸水を防止していた。しかし、土嚢は重いため積上げ作業に多大の労力と時間を要し、また、嵩張るため保管場所の確保も容易ではなかった。
【０００４】
かかる事情から、縦パネルと、横パネルと、これらのパネルを回動可能に連結する蝶番と、これらのパネルの表面及び連結部を覆う防水シートとを備えた、組立連結式の回動可能な簡易止水板が提案されている（特許文献１）。
この簡易止水板は、組立連結式の回動可能なものであるため、洪水時に縦パネルと横パネルを約７０°の夾角となるように開いて敏速に設置することができ、これらのパネル表面及び連結部を覆う防水シートで止水効果を発揮し得るものである。
【先行技術文献】
【特許文献】
【０００５】
【特許文献１】特開２００１−９００４１号公報
【発明の概要】
【発明が解決しようとする課題】
【０００６】
しかしながら、上記特許文献１の簡易止水板は、部品点数が多いため組立てが面倒であり、また、防水シートの耐久性に不安があるため浸水の恐れもあった。
本発明は上記事情の下になされたもので、その解決しようとする課題は、縦止水面材と横止水面材を回動可能な構造で連結しているにも拘わらず、部品点数が少なく止水性の点でも不安がない止水装置を提供することにある。
【課題を解決するための手段】
【０００７】
上記課題を解決するため、請求項１の発明に係る止水装置は、一方から他方への浸水を防止する止水装置であって、縦止水面材と横止水面材が互いに回動可能に連結されており、縦止水面材の下端前面側には一方の回動連結部が縦止水面材と一体に形成されており、横止水面材の後端上面側には他方の回動連結部が横止水面材と一体に形成されていることを特徴とするものである。
【０００８】
そして、請求項２の発明に係る止水装置は、請求項１に記載の止水装置において、縦止水面材の下端前面側から底面前面側に亘って一方の回動連結部が縦止水面材と一体に形成されており、横止水面材の後端上面側に他方の回動連結部が横止水面材と一体に形成されていることを特徴とするものであり、
請求項３の発明に係る止水装置は、請求項１又は請求項２に記載の止水装置において、一方又は／及び他方の回動連結部に回動中心部が一体に形成されていることを特徴とするものであり、
請求項４の発明に係る止水装置は、請求項１ないし請求項３のいずれかに記載の止水装置において、一方の回動連結部と他方の回動連結部が、縦止水面材と横止水面材の幅方向全体に亘って形成されていることを特徴とするものであり、
請求項５の発明に係る止水装置は、請求項１ないし請求項４のいずれかに記載の止水装置において、止水装置が開いた状態で、縦止水面材と横止水面材の夾角が９０°以上、１２０°以下であることを特徴とするものであり、
請求項６の発明に係る止水装置は、請求項１ないし請求項５のいずれかに記載の止水装置において、回動連結部に回動ストッパーが設けられていることを特徴とするものであり、
請求項７の発明に係る止水装置は、請求項１ないし請求項６のいずれかに記載の止水装置において、縦止水面材が下端に連結部材を備えており、この連結部材に一方の回動連結部が一体に形成されていることを特徴とするものである。
【発明の効果】
【０００９】
請求項１の発明に係る止水装置は、縦止水面材の下端前面側に一方の回動連結部が一体に形成されているので、この回動連結部内が浸水しても、止水装置の背面側は浸水の恐れがない。従って、防水シートなどの別部材で縦止水面材と横止水面材の回動連結部を止水する必要がないので部品点数が少なくなり、防水シートの劣化、破損等による浸水の恐れも生じないので止水性が良好である。また、一方の回動連結部は縦止水面材と一体に形成され、他方の回動連結部は横止水面材と一体に形成されているので、蝶番やその取付ネジなどの余計な連結用の別部品が一切不要となり、その分だけ部品点数を更に少なくできる。
【００１０】
そして、請求項２の発明に係る止水装置のように、縦止水面材の下端前面側から底面前面側に亘って一方の回動連結部が縦止水面材と一体に形成されており、横止水面材の後端上面側に他方の回動連結部が横止水面材と一体に形成されていると、縦止水面材を横止水面材の上に重ねて折り畳むことができるので、折り畳んだ止水装置を複数積み重ねてコンパクトに保管や運搬を行うことができ、また、縦止水面材を真上に起立させたときに、縦止水面材の下端面と横止水面材の下面を同じ高さに揃えて設置面に止水装置を設置することができる。
【００１１】
また、請求項３の発明に係る止水装置のように、一方又は／及び他方の回動連結部に回動中心部が一体に形成されていると、回動連結部と回動中心部の間に隙間が生じないので浸水を確実に防止でき、部品点数が少なくなって構造もシンプルになる。
【００１２】
また、請求項４の発明に係る止水装置のように、一方の回動連結部と他方の回動連結部が、縦止水面材と横止水面材の幅方向全体に亘って形成されていると、縦止水面材と横止水面材の幅方向全体、つまり止水装置の幅方向全体に亘って確実に浸水を防止することができる。
【００１３】
また、請求項５の発明に係る止水装置のように、止水装置が開いた状態で、縦止水面材と横止水面材の夾角が９０°以上、１２０°以下であると、設置箇所の設置面に対する立上り面の角度が９０°以上の場合でも、その角度に合わせて止水装置を開くことができるので、様々な箇所に設置することができる。
【００１４】
また、請求項６の発明に係る止水装置のように、回動連結部に回動ストッパーが設けられていると、回動ストッパーで回動連結部同士の回動が抑制され、止水装置の保管時や設置時における縦止水面材と横止水面材の不要な開閉が防止されるので、止水装置の取扱い性や施工性が向上する。
【００１５】
また、請求項７の発明に係る止水装置のように、縦止水面材が下端に連結部材を備え、この連結部材に一方の回動連結部が一体に形成されていると、大きい水圧を受ける縦止水面材の下端に一方の回動連結部を直接設ける必要がなくなり、縦止水面材の設計の自由度が増す。
【図面の簡単な説明】
【００１６】
【図１】本発明の一実施形態に係る止水装置の使用状態を示す概略斜視図である。
【図２】９０°開いた状態の同止水装置の部分断面図である。
【図３】９０°開いた状態の同止水装置の分解部分断面図である。
【図４】閉じた状態の同止水装置の部分断面図である。
【図５】略１２０°開いた状態の同止水装置の部分断面図である。
【図６】９０°開いた状態の同止水装置の双方の回動連結部の拡大断面図である。
【図７】閉じた状態の同止水装置の双方の回動連結部の拡大断面図である。
【図８】１２０°開いた状態の同止水装置の双方の回動連結部の拡大断面図である。
【発明を実施するための形態】
【００１７】
以下、図面に基づいて、本発明に係る止水装置の代表的な実施形態を詳細に説明する。
【００１８】
図１は本発明の一実施形態に係る止水装置の使用状態を示す概略斜視図、図２は９０°開いた状態の同止水装置の部分断面図、図３は９０°開いた状態の同止水装置の分解部分断面図、図４は閉じた状態の同止水装置の部分断面図、図５は略１２０°開いた状態の同止水装置の部分断面図、図６は９０°開いた状態の同止水装置の双方の回動連結部の拡大断面図、図７は閉じた状態の同止水装置の双方の回動連結部の拡大断面図、図８は略１２０°開いた状態の同止水装置の双方の回動連結部の拡大断面図である。
【００１９】
この止水装置１０は、図１に示すように、建物や地下施設の出入口などの開口部１の正面側の設置面２に設置され、建物や地下施設の内部への浸水を防止する装置であって、縦止水面材３と横止水面材４を有しており、この縦止水面材３の下端部と横止水面材４の後端部は、後述する回動連結部５０，４０で互いに回動可能に連結されている。横止水面材４は水平方向に延びて設置面２の上に配置されており、縦止水面材３は横止水面材４との夾角θ（換言すれば開き角θ）が９０°となるように、横止水面材４の後端部から上方に起立して開口部１を閉鎖している。
【００２０】
縦止水面材３や横止水面材４を構成する面材は、止水機能を発揮するものであれば、パネル状の面材でも、シート状の面材でも、ブロック状の面材でもよく、また、中空の面材でもよい。面材の材質は、金属（例えば、ステンレス、アルミニウムなど）や、合成樹脂（例えば、ポリ塩化ビニル、ポリカーボネート、ＦＲＰなど）が好適である。
この実施形態の止水装置１０では、横止水面材４を構成する面材として表面に防滑用の凹凸（不図示）を形成した合成樹脂製シートを使用し、縦止水面材３を構成する面材として、厚みが上記合成樹脂製シートよりも大きい合成樹脂製の中空パネルを使用し、大きい水圧がかかる縦止水面材３の下端部のみに後述する金属製の連結部材５を取付けることによって、軽量化と強度確保の両立を図っている。
【００２１】
縦止水面材３の背面（例えば建物側の面）、特に、開口部１の左右の口縁部に当接する背面の両側部には、止水パッキン（不図示）を適宜配設して、縦止水面材３の背面の両側部と開口部１の左右の口縁部との隙間から浸水しないように止水することが好ましい。また、横止水面材４の下面にも止水パッキン（不図示）を適宜配設して、横止水面材４と設置面２との隙間から浸水しないように止水することが好ましい。
【００２２】
図１に示すように、縦止水面材３の下端部には、金属製の連結部材５が縦止水面材３の全幅に亘って設けられている。この実施形態の連結部材５はアルミニウムの押出型材からなるもので、図３に示すように、前板５ａと、後板５ｂと、これらの内面の上部に２条づつ平行に形成された小凸条５ｃと、これらの内面の上下方向中間部にそれぞれ形成された面材受け片５ｄと、この面材受け片５ｄの下側において前板５ａと後板５ｂを連結する水平中間板５ｅと、底板５ｆと、複数（４つ）のビス孔５ｇを備えている。この連結部材５は、前板５ａの下端部と底板５ｆの前端部が切り欠かれ、この切り欠かれた連結部材５の下端前面側から底面前面側に亘って一方の回動連結部５０が一体に形成されている。そして、この連結部材５の両側端には端板５ｈが配置され、上記ビス孔５ｇにねじ込まれた複数本（４本）のビス５ｉで固定されている。
上記の一方の回動連結部５０については、後で詳しく説明する。
【００２３】
上記の連結部材５は、前板５ａの上部と後板５ｂの上部との間の凹空部に縦止水面材３の下端部を上方から挿嵌して、縦止水面材３の下端部を前後から小凸条５ｃで挟持させると共に、縦止水面材３の下端面を面材受け片５ｄで受け止めた状態で、縦止水面材３の下端部に一体に取付けられている。この実施形態の止水装置１０は、上記のように連結部材５を縦止水面材３の下端部に取付けることによって、一方の回動連結部５０を、連結部材５を介して、縦止水面材３の下端前面側から底面前面側に亘って一体に形成している。
尚、一方の回動連結部５０は、縦止水面材３の下端部に連結部材５を取付けることなく、縦止水面材３の下端前面側から底面前面側に亘って直接形成しても勿論よいが、その場合は、縦止水面材３の下端部に加わる大きい水圧によって連結部材５が破損することも考えられるので、この実施形態の止水装置１０のように、縦止水面材３の下端部に取付ける金属製（アルミニウム製）の連結部材５に、一方の回動連結部５０を一体に形成することが望ましい。
【００２４】
図２，図３に示すように、横止水面材４の後端上面側には、縦止水面材３（の連結部材５）に形成された一方の回動連結部５０と互いに回動可能に連結される他方の回動連結部４０が、横止水面材４の全幅に亘って一体に形成されている。
この他方の回動連結部４０は、横止水面材４の後端上面側に一体に形成された上側が開放する略半円筒部４０ａと、この略半円筒部４０ａの後半部の内面から求心方向に突出する突出部４０ｂと、この突出部４０ｂの先端に一体に形成された丸棒状の回動中心部４０ｃとを備えたものであって、略半円筒部４０ａの前半部４０ｄは厚肉化されている。
【００２５】
これに対し、縦止水面材３（の連結部材５）の下端前面側から底面前面側に亘って一体に形成された一方の回動連結部５０は、図２，図３に示すように、連結部材５の底板５ｆの前端上側に一体に形成された前側が開放する略半円外筒部５０ａと、この略半円外筒部５０ａの上端に形成された当止部５０ｂ（他方の回動連結部４０の略半円筒部４０の後端を当止する当止部）と、この当止部５０ｂの先端に形成された後方斜め下側が開放する略半円小筒部５０ｃと、この略半円小筒部５０ｃの後端から連結部材５の前板５ａの下端に連なるように形成された前側が開放する収容部５０ｄ（他方の回動連結部４０の略半円筒部４０ａの厚肉化された前半部４０ｄを収容する収容部）とを備えたものである。
【００２６】
一方の回動連結部５０と他方の回動連結部４０は、一方の回動連結部５０の内側空間（即ち、略半円外筒部５０ａと当止部５０ｂと略半円小筒部５０ｃによって囲まれる内側空間）に、他方の回動連結部４０（即ち、略半円筒部４０ａの厚肉化されていない後半部と突出部４０ｂと回動中心部４０ｃ）を、回動連結部５０のいずれか一端から挿入することによって、互いに回動可能に且つ前後方向に外れないように連結されており、一方の回動連結部５０の内側空間から他方の回動連結部４０を引き抜くと連結が解除されるようになっている。
【００２７】
尚、回動連結部４０の突出部４０ｂや、回動中心部４０ｃを受ける回動連結部５０の略半円小筒部５０ｃが弾性変形可能であれば、回動連結部４０を回動連結部５０の内側空間に正面側から強く嵌め込んで連結したり、回動連結部４０を回動連結部５０の内側空間から正面側に強く引き外して連結を解除することができる。例えば、回動連結部５０を有する連結部材５をアルミニウムの押出型材で形成し、回動連結部４０を有する横止水面材４を塩化ビニル樹脂やオレフィン樹脂などの可撓性の合成樹脂で成形した場合や、二色成形などで回動連結部４０の突出部４０ｂを可撓性の合成樹脂で成形した場合は、突出部４０ｂも略半円小筒部５０ｃも弾性変形が可能であるので、上記のように、所謂ムリ嵌めをしたり所謂ムリ外しをすることができる。
【００２８】
上記のように、一方の回動連結部５０と他方の回動連結部４０を連結し、回動させて縦止水面材３を真上に９０°起立させた図２の状態では、回動連結部４０の略半円筒部４０ａの厚肉化されていない後半部が回動連結部５０の略半円外筒部５０ａで受けられ、略半円筒部４０ａの後半部の外面が略半円外筒部５０ａの内面に回動可能に摺接している。そして、回動連結部４０の回動中心部４０ｃは回動連結部５０の略半円小筒部５０ｃで受けられ、回動中心部４０ｃの外面が略半円小筒部５０ｃの内面に回動可能に摺接している。しかし、回動連結部４０の略半円筒部４０ａの厚肉化された前半部４０ｄは回動連結部５０の収容部５０ｄに収容されてなく、また、略半円筒部４０ａの後端も回動連結部５０の当止部５０ｂで当止されていない。
【００２９】
この図２の状態から縦止水面材３を前方に倒すと、縦止水面材３の回動連結部５０が横止水面材４の回動連結部４０の回動中心部４０ｃの周りに回動し、図４に示すように、回動連結部４０の略半円筒部４０ａの厚肉化された前半部４０ｄが回動連結部５０の収容部５０ｄに収容されて、縦止水面材３が横止水面材４の上に重なって折り畳まれる。このように縦止水面材３を横止水面材４の上に折り畳むと、止水装置１０の嵩が低くなり、複数の止水装置を積み重ねてコンパクトに保管したり運搬することが可能となる。
【００３０】
この止水装置１０は、縦止水面材３（の連結部材５）の下端前面側から底面前面側に亘って一方の回動連結部５０を設け、横止水面材４の後端前面側に設けた他方の回動連結部４０と回動可能に連結しているので、上記のように縦止水面材３を横止水面材４の上に重ねて折り畳んでコンパクトに保管したり運搬することができ、また、縦止水面材３を真上に起立させたときに、縦止水面材３（の連結部材５）の下端面と横止水面材４の下面を同じ高さに揃えて設置面２に設置できる利点がある。尚、一方の回動連結部５０は、必ずしも縦止水面材３（の連結部材５）の下端前面側から底面前面側に亘って一体に形成する必要はなく、縦止水面材３（の連結部材５）の下端前面側のみに形成してもよいものである。
【００３１】
また、この止水装置１０は、図５に示すように縦止水面材３と横止水面材４の夾角θ（換言すれば開き角θ）が１２０°となるように開くと、横止水面材４の回動連結部４０の略半円筒部４０ａの後端が、縦止水面材３の回動連結部５０の当止部５０ｂで当止されて、回動が停止し、縦止水面材３と横止水面材４の夾角θが１２０°より大きくならないようになっている。
このように、縦止水面材３と横止水面材４が９０°以上、１２０°以下の鈍角で開くようになっていると、開口部１の正面側の設置面２が前下りの傾斜面の場合でも、その傾斜角は通常３０°以下であるから、横止水面材４を傾斜した設置面２の上に配置して縦止水面材３を真上に起立させ、開口部１を縦止水面材３で閉鎖して浸水を防止することができる。
【００３２】
双方の回動連結部５０，４０には、双方の回動連結部５０，４０の回動を抑制して仮固定できる回動ストッパーであって、双方の止水面材３，４を開閉することにより仮固定以上の大きい回転トルクをかけると仮固定を解除できる回動ストッパーを設けることが好ましい。この実施形態の止水装置１０では、図６〜図８に示すように、一方の回動連結部５０の略半円外筒部５０ａの内面の二箇所と、他方の回動連結部４０の略半円筒部４０ａの厚肉化されていない後半部の外面の一箇所に、回動ストッパーとして表面が滑らかな細かい凹凸条５０ｅ，４０ｅを形成している。
【００３３】
もう少し具体的に説明すると、回動連結部４０の略半円筒部４０ａの後端部の外面には、回動ストッパーとして数条の細かい凹凸条４０ｅが形成されており、回動連結部５０の略半円外筒部５０ａの上端寄りの内面と下端寄りの内面には、回動ストッパーとして上記凹凸条４０ｅと噛み合う数条の凹凸条５０ｅ，５０ｅがそれぞれ形成されている。そして、図６に示すように縦止水面材３が真上に起立して横止水面材４との夾角θが９０°になった状態から、図８に示すように縦止水面材３と横止水面材４の夾角θが１２０°になるまで、略半円筒部４０ａの後端部外面の凹凸条４０ｅと、略半円外筒部５０ａの上端寄り内面の凹凸条５０ｅとが互いに噛み合い、縦止水面材３と横止水面材４が９０°以上、１２０°以下の所望の夾角θになった状態で、双方の回動連結部５０，４０の回動を抑制して仮固定できるようになっている。また、縦止水面材３を横止水面材４に重ねて折り畳んだ状態（夾角０°）では、図７に示すように、略半円筒部４０ａの後端部外面の凹凸条４０ｅと、略半円外筒部５０ａの下端寄り内面の凹凸条５０ｅとが互いに噛み合い、縦止水面材３と横止水面材４を折り畳んだ状態で開かないように仮固定できるようになっている。
なお、縦止水面材３と横止水面材４の夾角が０°と９０°のときに仮固定できるように、回動ストッパーを設けるだけでもよい。
【００３４】
上記のように回動連結部５０，４０に回動ストッパーとして凹凸条５０ａ，４０ａが形成されていると、凹凸条５０ａ，４０ａの噛み合いにより回動連結部５０，４０の互いの回動が抑制され、止水装置１０の保管時や設置時における縦止水面材３と横止水面材４の不要な開閉が防止されるので、止水装置１０の取扱い性や施工性が向上する。
【００３５】
回動ストッパーとしての凹凸条５０ａ，４０ａは、一方の回動連結部５０の略半円外筒部５０ａの内面全体、及び、他方の回動連結部４０の略半円筒部４０ａの厚肉化されていない後半部の外面全体に形成してもよい。その場合は、縦止水面材３と横止水面材４の夾角が０°（折り畳んだ状態）から１２０°までのいかなる角度でも、双方の回動連結部５０，４０の回動を抑制して仮固定できるので、双方の止水面材３，４を所望の夾角のまま維持することが可能となる。
【００３６】
回動ストッパーは回動連結部５０に一体に形成する必要が必ずしもなく、例えば、縦止水面材３と横止水面材４を所定の夾角θとなるように開いて止水装置１０を設置した後、回動ストッパーとして別部材の固定ピンなどを回動連結部５０，４０に脱着可能に差し込んで回動を抑制し仮固定してもよい。
また、回動ストッパーの仮固定力が十分でない場合は、縦止水面材３と横止水面材４の間に突張り棒その他の支持部材を架け渡すことで回動を抑制し確実に仮固定してもよい。
【００３７】
以上のような構成の止水装置１０を用いて、その横止水面材４を開口部１の正面側の設置面２に配置し、縦止水面材３を起立させて開口部１を閉鎖すると、開口部１の前方から開口部１の内部への浸水を主に縦止水面材３によって防止することができる。しかも、この止水装置１０は、縦止水面材３（の連結部材５）の下端前面側から底面前面側に亘って一方の回動連結部５０が一体に形成されているので、この回動連結部５０の内部が浸水しても、止水装置１０の背面側まで浸水する恐れはない。従って、防水シートなどの別部材で縦止水面材３と横止水面材４の回動連結部５０，４０を止水する必要がないので部品点数が少なくなり、防水シートの劣化、破損等による浸水の恐れも生じないので止水性が良好である。また、一方の回動連結部５０は縦止水面材３（の連結部材５）と一体に形成され、他方の回動連結部４０は横止水面材４と一体に形成されているので、蝶番やその取付ネジなどの余計な連結用の別部品が一切不要となり、その分だけ部品点数を少なくできる。
【００３８】
また、この止水装置１０のように、横止水面材４の後端上面側に設けられた他方の回動連結部４０に回動中心部４０ｃが一体に形成されていると、一般のヒンジ構造のように、ピン状の回動中心部材を組み込む必要がなくなるので、部品点数が減少して構造がシンプルになり、しかも、回動連結部４０と回動中心部４０ｃの間に隙間が生じないので浸水を確実に防止できる。
また、この止水装置１０のように、一方の回動連結部５０と他方の回動連結部４０が、縦止水面材３（の回動部材５）と横止水面材４の幅方向全体に亘って形成されていると、縦止水面材３と横止水面材４の幅方向全体、つまり止水装置１０の幅方向全体に亘って確実に浸水を防止することができる。
また、この止水装置１０のように、縦止水面材３が下端に連結部材５を備え、この連結部材５に一方の回動連結部５０が一体に形成されていると、大きい水圧を受ける縦止水面材３の下端に一方の回動連結部５０を直接形成しなくてもよいので、縦止水面材３の設計の自由度が増す。
【００３９】
上記実施形態の止水装置１０は、単独で開口部１の正面側の設置面２に設置されているが、開口部１の幅が広い場合や、止水する領域が広い場合には、複数の止水装置１０を横方向に連結して設置すればよく、また、必要に応じて、縦止水面材３の幅方向両側部や上端部に補強用の枠材を取付けたり、連結用の枠材を取付けたりしてもよい。
【００４０】
また、上記実施形態の止水装置１０では、一方の回動連結部５０も他方の回動連結部４０も、縦止水面材３と横止水面材４の幅方向全体に亘って連続して形成されているが、これらの回動連結部５０，４０は部分的に途切れて形成されていてもよい。
また、上記実施形態の止水装置１０では、回動中心部４０ｃを他方の回動連結部４０に一体に形成しているが、一方の回動連結部５０と他方の回動連結部４０に回動中心部をそれぞれ一体に形成し、双方の回動中心部を嵌合一体化して一つの回動中心部を構成してもよい。
【００４１】
その他、横止水面材４の上面に防滑加工を施したり、別の防滑用シート等を貼付けたりしてもよい。また、横止水面材４がシートの場合はシートの四周に枠材を取付け、横止水面材４の後端部に取付ける枠材として、他方の回動連結部４０が一体に形成された金属製の連結部材を取付けることで、強度を向上させるのもよい。
【符号の説明】
【００４２】
１    開口部
２    設置面
３    縦止水面材
４    横止水面材
５    連結部材
１０  止水装置
４０  他方の回動連結部
４０ａ  略半円筒部
４０ｃ  回動中心部
４０ｅ  回転ストッパー（凹凸条）
５０  一方の回動連結部
５０ａ  略半円外筒部
５０ｃ  略半円小筒部
５０ｅ  回転ストッパー（凹凸条）
θ    縦止水面材と横止水面材との夾角
【図１】
0006600852.tif 000002
【図２】
0006600852.tif 000003
【図３】
0006600852.tif 000004
【図４】
0006600852.tif 000005
【図５】
0006600852.tif 000006
【図６】
0006600852.tif 000007
【図７】
0006600852.tif 000008
【図８】
0006600852.tif 000009